(57)【特許請求の範囲】
【請求項１】
モバイル製品の製品本体に出没可能に設けられるモバイル製品用アンテナであって、
アンテナ本体と、該アンテナ本体の上端部に設けられた頭部とからなり、
前記頭部は、前記アンテナ本体に連結する連結部と、前記連結部の上部側に取り付けられた円筒状のカバーと、前記カバーの内部孔に移動可能に内挿されてその上端部が前記カバーの上方に突出するボタンと、前記カバーの内部孔に設けられて前記ボタンを前記カバーの上方に付勢する付勢部材と、を有し、
前記ボタンには、前記カバーの内壁面側に突出するピンが設けられ、
前記カバーの内壁面には、前記ピンを案内するハートカム溝が形成され、
前記ボタンは、前記ピンが前記ハートカム溝に案内されることで、前記カバーより所定の長さ突出する第１の位置から、前記所定の長さより短い長さ突出する第２の位置を経て、前記所定の長さより長い長さ突出する第３の位置に到り、その後前記第１の位置に復帰するように構成されていることを特徴とするモバイル製品用アンテナ。
【請求項２】
前記ピンは、その両端部がそれぞれ前記ボタンの側部の一方の側とその反対の側に突出して設けられ、
前記カバーは、その内壁面に、前記ピンの一端部を案内する第１のハートカム溝と、前記ピンの他端部を案内する第２のハートカム溝とが設けられ、
前記第１のハートカム溝と前記第２のハートカム溝とは、前記カバーの中心軸を中心にして１８０°回転させた際に他方のハートカム溝に重なる、２回対称に形成されていることを特徴とする請求項１記載のモバイル製品用アンテナ。
【請求項３】
地上デジタル放送を受信するアンテナであることを特徴とする請求項１又は２に記載のモバイル製品用アンテナ。
【請求項４】
請求項１〜３のいずれか一項に記載のモバイル製品用アンテナが製品本体に出没可能に設けられてなり、前記モバイル製品用アンテナは、前記ボタンが第１の位置のときに、該ボタンの上端面が前記製品本体の端面に略面一となるように、該製品本体に取り付けられていることを特徴とするモバイル製品。
【請求項５】
前記製品本体が携帯電話の本体であることを特徴とする請求項４記載のモバイル製品。
【発明の詳細な説明】
【技術分野】
【０００１】
本発明は、モバイル製品用アンテナ及びモバイル製品に関する。
【背景技術】
【０００２】
近年、国内では地上デジタル放送のサービスが開始されている。このサービスには、携帯電話を始めとしたモバイル製品（携帯製品）に対する放送サービスも含まれ、このサービスに対応する携帯電話も提供されている。すなわち、地上デジタル放送の放送帯域を１３個のセグメントに分割し、そのうちの１つのセグメントを可動体向けのサービスに割り当てることにより、携帯電話などのモバイル製品における受信を想定した、１セグメント放送（ワンセグ）が行われている。そして、この帯域の一部を利用してデータ放送と同等のサービスが行われている。
【０００３】
このようなワンセグに対応する携帯電話としては、その電波を受信する専用のアンテナが必要であり、このようなワンセグ対応のアンテナは、通常は通話等のための電波の送受信用アンテナとは別に設けられる。
また、地上デジタル放送の電波は縦波であることから、ワンセグ対応のアンテナとしては、地表に対して垂直（鉛直）に立てて用いるのが、ノイズを入れることなく鮮明な画像を得るうえで好ましい。
【０００４】
ところで、このようなワンセグ対応のアンテナや、従来の通話用電波の送受信用アンテナは、通常、非使用時には筐体（電話本体）内に収容され、使用時には頭部を指先で摘んで引き出す構造となっている。また、特に通話用電波の送受信用アンテナに関しては、プッシュロックプッシュオフ機構を備えたアンテナ装置が知られている（特許文献１参照）。このプッシュロックプッシュオフ機構は、筐体内に設けられたもので、非使用時にはアンテナ基部の保持溝を保持することでアンテナ素子が引き出せないようにロックし、使用時には、アンテナの頭部が押圧されることでロックを解除し、アンテナ素子を引き出し可能にするものである。
【特許文献１】特開平６−７７７１４号公報
【発明の開示】
【発明が解決しようとする課題】
【０００５】
しかしながら、特許文献１のアンテナ装置では、そのプッシュロックプッシュオフ機構が筐体内に設けられているため、筐体となる製品本体の小型化が損なわれるといった問題がある。
また、アンテナを出没可能に設けた従来の携帯電話では、アンテナを引き出すため、非使用時にもアンテナの頭部が製品本体（筐体）から突出している。しかし、このように常時アンテナが突出していると、この突出部分が携帯時等に不測にぶつかってしまい、破損するおそれがあり、また、意匠的にも大きな制約を受けてしまうといった問題がある。
【０００６】
本発明は前記事情に鑑みてなされたもので、その目的とするところは、製品本体の小型化を可能にし、さらに、モバイル製品の意匠上の自由度を高めたモバイル製品用アンテナと、このアンテナを備えたモバイル製品を提供することにある。
【課題を解決するための手段】
【０００７】
前記目的を達成するため本発明のモバイル製品用アンテナは、モバイル製品の製品本体に出没可能に設けられるモバイル製品用アンテナであって、
アンテナ本体と、該アンテナ本体の上端部に設けられた頭部とからなり、
前記頭部は、前記アンテナ本体に連結する連結部と、前記連結部の上部側に取り付けられた円筒状のカバーと、前記カバーの内部孔に移動可能に内挿されてその上端部が前記カバーの上方に突出するボタンと、前記カバーの内部孔に設けられて前記ボタンを前記カバーの上方に付勢する付勢部材と、を有し、
前記ボタンには、前記カバーの内壁面側に突出するピンが設けられ、
前記カバーの内壁面には、前記ピンを案内するハートカム溝が形成され、
前記ボタンは、前記ピンが前記ハートカム溝に案内されることで、前記カバーより所定の長さ突出する第１の位置から、前記所定の長さより短い長さ突出する第２の位置を経て、前記所定の長さより長い長さ突出する第３の位置に到り、その後前記第１の位置に復帰するように構成されていることを特徴としている。
【０００８】
このモバイル製品用アンテナによれば、その頭部内にボタンのピンを案内するハートカム溝が形成されているので、ピンがハートカム溝に案内されることにより、ボタンが第１の位置から第２の位置を経て第３の位置に到り、その後第１の位置に復帰するようになる。したがって、第１の位置にあるボタンを押圧して一旦第２の位置に押し下げた後、押圧力を解除することにより、付勢部材の付勢力によってボタンを第２の位置に上昇させることができる。よって、このようにボタンを第２の位置に上昇させることで頭部が容易に摘めるようになり、頭部を摘み上げることで、アンテナ本体を製品本体から容易に引き出すことができるようになる。
また、このように使用時にボタンを押圧することによってボタンを上昇させることができるため、このアンテナを製品本体に対して取り付ける際、前記ボタンが第１の位置のときに該ボタンの上端面が前記製品本体の端面に略面一となるように構成することで、非使用時にはアンテナが製品本体から突出しないようになる。
また、いわゆるプッシュロックプッシュオフ機構を構成するハートカム溝とこれに案内されるピンを有したボタンとが、アンテナの頭部内に一体的に設けられているでの、プッシュロックプッシュオフ機構がアンテナとは別に製品本体（筐体）内に設けられる従来のもののように、筐体となる製品本体の小型化が損なわれることがない。
【０００９】
また、モバイル製品用アンテナにおいては、前記ピンは、その両端部がそれぞれ前記ボタンの側部の一方の側とその反対の側に突出して設けられ、前記カバーは、その内壁面に、前記ピンの一端部を案内する第１のハートカム溝と、前記ピンの他端部を案内する第２のハートカム溝とが設けられ、前記第１のハートカム溝と前記第２のハートカム溝とは、前記カバーの中心軸を中心にして１８０°回転させた際に他方のハートカム溝に重なる、２回対称に形成されているのが好ましい。
このようにすれば、ピンの両端部がそれぞれハートカム溝に案内されるので、ボタンの操作時などにボタンがカバーに対してガタツクことなどが少なく、したがって安定した操作が可能になる。また、ボタンを押圧してピンをハートカム溝に案内させた際、ボタンを中心軸にしてカバーが相対的に回動するようになるので、製品本体におけるアンテナの収容スペースを最小限に抑えることができる。
【００１０】
また、モバイル製品用アンテナは、地上デジタル放送を受信するアンテナであってもよい。
地上デジタル放送の電波は縦波であり、これに対応するアンテナは地表に対して垂直（鉛直）に立てて用いるため、使用時には製品本体から引き出して伸ばす必要があるが、前記構成のアンテナを地上デジタル放送受信用アンテナに適用することで、その操作性がより良好になる。
【００１１】
本発明のモバイル製品は、前記のモバイル製品用アンテナが製品本体に出没可能に設けられてなり、前記モバイル製品用アンテナは、前記ボタンが第１の位置のときに、該ボタンの上端面が前記製品本体の端面に略面一となるように、該製品本体に取り付けられていることを特徴としている。
このモバイル製品によれば、前記ボタンが第１の位置のときに、該ボタンの上端面が前記製品本体の端面に略面一となるように取り付けられているので、非使用時にはアンテナが製品本体から突出せず、したがって突出部分が不測にぶつかって破損するといったおそれがなく、また、意匠的にも大きな制約を受けることがない。
さらに、プッシュロックプッシュオフ機構がアンテナの頭部内に一体的に設けられているので、プッシュロックプッシュオフ機構がアンテナとは別に製品本体（筐体）内に設けられる従来のもののように、筐体となる製品本体の小型化が損なわれることがない。
【００１２】
また、モバイル製品においては、前記前記製品本体が携帯電話の本体であってもよい。
このようにすれば、特に携帯時において不測に破損するおそれがなく、また、例えば前記アンテナを地上デジタル放送受信用のアンテナとした場合に、ボタンを操作することで容易にアンテナを引き上げ、地上デジタル放送を受信することが可能になる。
【発明の効果】
【００１３】
本発明のモバイル製品用アンテナにあっては、該アンテナが非使用時に製品本体から突出しないように構成することで、突出部分が不測にぶつかって破損するといったおそれを回避することができる。また、突出部分を無くすことができるため、これを備えるモバイル製品は意匠的にも大きな制約を受けることがなく、したがってモバイル製品のデザイン自由度を大幅に高めることができる。さらに、プッシュロックプッシュオフ機構をアンテナの頭部内に一体的に設けているので、筐体となる製品本体の小型化を可能にすることができる。
本発明のモバイル製品にあっては、非使用時にアンテナが製品本体から突出しないようになっているので、突出部分が不測にぶつかって破損するといったおそれを回避することができる。また、非使用時においてアンテナに突出部分が無いため、意匠的にも大きな制約を受けることがなく、したがってデザイン自由度を大幅に高めることができる。さらに、プッシュロックプッシュオフ機構をアンテナの頭部内に一体的に設けているので、筐体となる製品本体の小型化を図ることができる。
【発明を実施するための最良の形態】
【００１４】
以下、本発明を詳しく説明する。
図１（ａ）、（ｂ）は、本発明のモバイル製品用アンテナを備えたモバイル製品を、地上デジタル放送受信用アンテナ（モバイル製品用アンテナ）を備えた携帯電話に適用した場合の一実施形態を示す図であり、図１（ａ）、（ｂ）中符号１はモバイル製品としての携帯電話、２はモバイル製品用アンテナとしての地上デジタル放送受信用アンテナ（以下、アンテナと記す）である。
【００１５】
携帯電話１は、本発明における製品本体となる携帯電話本体（以下、本体と記す）３と、この本体３に出没可能に設けられるアンテナ２とからなるもので、携帯電話本体３に、各種のキーからなる入力部４と、液晶等からなる画像表示手段としての表示画面５とを有したものである。なお、この携帯電話１では、通話等のための電波を送受信するためのアンテナ（図示せず）が、前記本体３に内蔵されている。
【００１６】
アンテナ２は、地上デジタル放送を受信しないとき、すなわち非使用時には、図１（ａ）に示すように本体３から突出することなく、本体３内に埋設されて収納され、地上デジタル放送を受信するときには、本体３から引き出され、図１（ｂ）に示すように予め設定された所定長さに伸ばされて用いられるものである。
【００１７】
このアンテナ２は、図２（ａ）に示すように、本体３に保持固定されたアンテナ本体６と、該アンテナ本体６の上端部に設けられた頭部７とからなるものである。アンテナ本体６は、基端側部材８と、伸縮可能な先端側部材９と、これら基端側部材８と先端側部材９との間を連結しかつ復帰可能に屈曲させる屈曲部１０とを有したものである。また、このアンテナ本体６は、図２（ｂ）に示すように、本体３に埋設されたホルダー１１を介して本体３に保持されたものである。
【００１８】
ホルダー１１は、例えば樹脂等からなる略円筒状のもので、その内壁部分が弾性変形可能に形成されたものである。このような構成のもとにアンテナ本体６は、ホルダー１１内に、その軸回り方向に回動可能に保持されたものとなっている。また、その長さ方向に摺動可能に保持されることで、前記したように本体３内に出没可能に収納されたものとなっている。なお、本体３においては、前記ホルダー１１の下方が空洞部となっており、この空洞部に、アンテナ２が収容可能になっている。
【００１９】
基端側部材８は、ステンレス等の金属によって形成されたもので、前記ホルダー１１の内径より僅かに大径に形成された円柱状の保持部８ａと、該保持部８ａの下端部に設けられて、ホルダー１１の内径より十分大径に形成された大径部８ｂと、を有して形成されたものである。保持部８は、ホルダー１１の内径より僅かに大径に形成されたことにより、ホルダー１１の軸方向に摺動可能となっているとともに、この摺動方向に力が付与されない状態では、その位置が変わることなくホルダー１１内に保持されるようになっている。
【００２０】
また、大径部８ｂは、ホルダー１１の外側（下側）に配置されており、これによって基端側部材８は、大径部８ｂがホルダー９の下端部に係止することでこのホルダー９を抜けて本体３の外側（上側）に抜け出ないようになっている。さらに、保持部８ａの先端側には一対の挟持片８ｃ、８ｃが形成されており、これら挟持片８ｃ、８ｃは、先端側部材９の連結片９ａを挟持することにより、屈曲部１０を構成している。すなわち、連結片９ａが挟持片８ｃ、８ｃに軸支されていることにより、先端側部材９は、基端側部材８に対して屈曲部１０で屈曲可能になっている。
【００２１】
先端側部材９は、前記屈曲部１０の先端側に、前記連結片９ａを介して、図３（ａ）、（ｂ）に示すようにロッド状に伸びるロッド部１２を備えたものである。このロッド部１２は、図２（ａ）に示したように屈曲部１０に連続する金属製で管状の太径部１３と、図３（ｂ）に示すようにこの太径部１３に摺動可能（移動可能）に内挿した金属製で管状の細径部１４と、によって伸縮可能に構成されたものである。なお、このようなロッド部１２の構成については、従来公知のアンテナの構造をそのまま適用することができる。
【００２２】
頭部７は、前記細径部１４の先端、すなわち、前記アンテナ本体６の上端部に設けられたもので、図１（ａ）に示したようにアンテナ２の非使用時には、その全体が本体３内に埋設されるように構成されたものである。この頭部７は、斜視図である図４（ａ）及び側断面図である図４（ｂ）に示すように、前記アンテナ本体６に連結する連結部１５と、この連結部１５の上部側に取り付けられた円筒状のカバー１６と、このカバー１６の内部孔１６ｃに移動可能に内挿されてその上端部が前記カバー１６の上方に突出するボタン１７と、前記カバー１６の内部孔１６ｃに設けられて前記ボタン１７を前記カバー１６の上方に付勢するコイルバネ（付勢部材）１８と、を有して構成されたものである。
【００２３】
連結部１５は、図４及び分解斜視図である図５に示すように、前記細径部１４を内挿してこの細径部１４に保持固定する円筒状の連結筒１５ａと、この連結筒１５ａの上部側に設けられた大径円筒状の収容筒１５ｂと、からなるものである。収容筒１５ｂは、内部に前記コイルバネ１８の下端側を収容したもので、その外周面には、周方向に沿って一対の係合突条１５ｃ、１５ｃが形成されている。
【００２４】
カバー１６は、前記連結部１５の収容筒１５ａに外挿して取り付けられた円筒状のもので、前記係合突条１５ｃ、１５ｃに係合する係合溝１６ａ及び係合凹部１６ｂを有したものである。そして、これら係合溝１６ａ及び係合凹部１６ｂが係合突条１５ｃ、１５ｃに回動可能に係合したことにより、カバー１６は前記連結部１５に対して、正逆方向へ回動可能に取り付けられたものとなっている。また、このカバー１６は、図５に示すように一対のカバー部材１９ａ、１９ｂからなっている。これらカバー部材１９ａ、１９ｂは、円筒をその軸方向に沿って２分割された形状のもので、互いにその軸方向に沿う端面が突き合わされ、溶着あるいは接着させられたことにより、外径が３．５ｍｍ〜４．５ｍｍ程度、本実施形態では３．８ｍｍ程度の、円筒状のカバー１６に組み立てられたものである。
【００２５】
これらカバー部材１９ａ、１９ｂのそれぞれの内壁面（内周面）には、プッシュロックプッシュオフ機構を構成するハートカム溝２０が形成されている。ハートカム溝２０は、図６に示すように、カバー部材１９ａ、１９ｂの内壁面における厚肉部２１に形成されたもので、上下逆にしたハート形状の輪郭に沿った形状のものである。すなわち、このハートカム溝２０は、逆ハート形状の島部２２の外周に沿ってその周囲に形成されたもので、後述するボタン１７のピンを案内するためのものである。
【００２６】
ここで、カバー部材１９ａのハートカム溝（第１のハートカム溝）２０と、カバー部材１９ｂのハートカム溝（第２のハートカム溝）２０とは、前記カバー１６の中心軸を中心にして１８０°回転させた際に、他方のハートカム溝に重なる、２回対称となる位置関係に形成されている。つまり、カバー部材１９ａとカバー部材１９ｂとは、それぞれのハートカム溝２０が鏡像の関係にあるのではない。したがって、これらカバー部材１９ａとカバー部材１９ｂとは、基本的な構造が同一になっているのである。
【００２７】
ボタン１７は、図４及び図５に示すように、カバー１６の内部孔１６ｃに移動可能に内挿された円柱部１７ａと、この円柱部１７ａの上端に一体に形成されて前記内部孔１６ｃから突出する円盤状の操作部１７ｂとからなるものである。円柱部１７ａには、その下端側に凹部１７ｃが形成されており、この凹部１７ｃには、前記コイルバネ１８が内挿されている。また、円柱部１７ａの下端部には、大径部１７ｄが形成されている。この大径部１７ｄは、その外径が前記連結部１５の収容筒１５ａの内径にほぼ一致するように形成されており、これによってボタン１７は、カバー１６内を移動（昇降）した際に、ガタツクことなく円滑に移動できるようになっている。また、円柱部１７ａには、図４に示すように前記凹部１７ｃの上側に、円柱部１７ａの直径に一致して貫通孔１７ｅが形成されており、この貫通孔１７ｅには、ピン２３が挿通されている。
【００２８】
ピン２３は、前記貫通孔１７ｅよりも長く形成され、したがってその両端部がそれぞれ貫通孔１７ｅから突出して設けられたもので、その一端部が前記カバー部材１９ａのハートカム溝（第１のハートカム溝）２０に、他端部が前記カバー部材１９ｂのハートカム溝（第２のハートカム溝）２０に、それぞれ係合したものである。そして、このピン２３は、後述するようにボタン１７が操作されることにより、それぞれの端部が対応するハートカム溝２０に案内されるようになっている。すなわち、ピン２３は、図７に示すように前記島部２２の凹部２２ａを初期位置（第１の位置）Ａとし、ボタン１７の操作により、図７中の矢印に沿って下部位置（第２の位置）Ｂに到る。そして、後述するようにコイルバネ１８に付勢されて上昇し、上部位置（第３の位置）Ｃに到る。その後、再度ボタン１７が操作されることにより、図７中の位置Ｄを経て初期位置Ａに復帰するようになっている。
【００２９】
なお、カバー部材１９ａに形成されたハートカム溝（第１のハートカム溝）２０と、カバー部材１９ｂに形成されたハートカム溝（第２のハートカム溝）２０とは、２回対称となる位置関係に形成されているので、後述するようにボタン１７を押圧（操作）してピン２３の両端部をそれぞれハートカム溝２０に案内させた際、ボタン１７の円柱部１７ａを中心軸にして、カバー１６が相対的に回動するようになる。したがって、アンテナ２はボタン１７の操作に伴って横方向に移動するようなことがなく、予め本体３内に設定された収容スペース内に保持されるようになっている。
【００３０】
前記ボタン１７の操作部１７ｂは、その外径が、カバー１６の内部孔１６ｃの内径より大きくなっている。したがって、ボタン１７を押圧した際、操作部１７ｂがカバー１６の上端面に当接する位置が、ボタン１７の最降下位置となる。そして、この最降下位置が、図７におけるピン２３の下部位置Ｂ、および位置Ｄにそれぞれ対応している。
【００３１】
このような構成からなる頭部７を備えたアンテナ２は、図１（ａ）および図８（ａ）に示すように、頭部７のボタン１７が第１の位置、すなわち前記ピン２３が初期位置（第１の位置）Ａにあるとき、ボタン１７の上端面、つまり操作部１７ｂの上面が、本体３の上端面に略面一となるように、本体３に取り付けられている。すなわち、アンテナ２の非使用時には、従来のものと異なり、アンテナ２の頭部７が本体３から突出していないのである。なお、本実施形態ではボタン１７の操作部１７ｂは、その上面が略球面状に湾曲している。したがって、略平面状に形成された本体３の上端面とは、厳密には面一になり得ないので、本発明では「略面一」と記載している。ここで、前記の第１の位置では、ボタン１７は、図９（ａ）に示すようにカバー１６より所定の長さＬだけ突出している。
【００３２】
また、ボタン１７は後述するように押圧操作され、その第２の位置になると、図９（ｂ）に示すように前記所定の長さＬより短い長さ、カバー１６より突出するようになる。すなわち、ボタン１７は、押圧操作によってピン２３が下部位置Ｂ（図７参照）になると、前述したように操作部１７ｂがカバー１６の上端面に当接するようになり、これによってカバー１６より操作部１７ｂの厚さ分、突出するようになるのである。しかしながら、このように第２の位置になると、ボタン１７は第１の位置より下降するため、図８（ｂ）に示すようにその操作部１７ｂの上面が本体３の上端面より僅かに沈むようになる。なお、このようにしてボタン１７が下降すると、コイルバネ１８は縮められることにより、ボタン１７に対して反発力（付勢力）を生じるようになる。
【００３３】
このような第２の位置でボタン１７への押圧操作を解除すると、コイルバネ１８の反発力（付勢力）によってボタン１７は上昇し、第３の位置に到る。これにより、ボタン１７は、図９（ｃ）に示すように前記所定の長さＬより長い長さ、カバー１６より突出するようになる。すなわち、ボタン１７は、コイルバネ１８に付勢されてピン２３が上部位置Ｃになると、図８（ｃ）に示すように、前記初期位置Ａと上部位置Ｃとの間の距離に対応する高さ分、本体３の上端面より突出するようになるのである。
【００３４】
したがって、このような構成からなるアンテナ２にあっては、アンテナ２の非使用時には、図８（ａ）に示したようにボタン１７を第１の位置に待機させ、ピン２３を初期位置に配置しておく。すると、アンテナ２はその頭部７を突出させることなく本体３内に収容されているため、携帯時などに突出部分が不測にぶつかってしまい、破損するといったおそれが回避される。
【００３５】
そして、アンテナ２を使用する際には、ボタン１７を押圧して図８（ｂ）に示したように第２の位置に下降させる。ボタン１７を第２の位置まで下降させると、操作部１７ｂがカバー１６の上端面に当接し、それ以上下降できなくなる。そこで、操作者はボタン１７の押圧操作をやめ、押圧を解除する。すると、前述したようにコイルバネ１８の付勢力（反発力）がボタン１７に作用し、ボタン１７は上昇して図８（ｃ）に示したように第３の位置に到り、本体３の上端面より突出した状態となる。
【００３６】
このようにしてボタン１７を突出させたら、操作者は、ボタン１７の操作部１７ｂを摘み、図８（ｄ）に示すようにこれを引き上げることにより、図１（ｂ）中実線で示したようにアンテナ２を本体３から引き出すことができる。そして、必要に応じて図１（ｂ）中二点鎖線で示すように先端側部材９側を操作し、基端側部材８に対して該先端側部材９を屈曲部１０で屈曲させることにより、ノイズのない鮮明な画像が受信できる位置に設定することができる。
【００３７】
また、受信を終了したら、アンテナ２を図１（ｂ）中実線で示したように再度起立させ、その状態から頭部７を本体３側に押し込む。すると、ピン２３は図７に示したように位置Ｄを経て初期位置Ａに復帰する。すなわち、頭部７のボタン１７（操作部１７ｂ）は、図８（ｂ）に示したように本体３の上端面より一旦下降した後、図８（ａ）に示した第１の位置に復帰する。これにより、アンテナ２は非使用状態、つまり待機状態となる。
【００３８】
このようなアンテナ２にあっては、非使用時には本体３から突出しないように構成されるので、突出部分が不測にぶつかって破損するといったおそれが回避されたものとなる。また、突出部分を無くすことができるため、これを備える携帯電話１は意匠的にも大きな制約を受けることがなくなり、したがって携帯電話１のデザイン自由度を大幅に高めることができる。
【００３９】
すなわち、従来では非使用時にアンテナの頭部が本体より突出するため、本体に対するアンテナの配設位置は、意匠上、上端面の角部などに限定されていた。これに対して本発明では、非使用時においてアンテナ２が突出しないため、例えば角部でなく中央部などにアンテナ２を配設することが可能になり、その分、携帯電話１のデザイン自由度が高まるのである。
また、特にアンテナを本体の上端面の角部に配設した場合、アンテナの頭部の平面視形状が、前記角部の形状に対応するように、アンテナの中心軸に対して点対称でなく、非対称に形成されることがある。その場合には、組立時にアンテナの頭部の取付方向が所定方向に規制されることから、組立に関する取付自由度が低くなってしまい、組立性を損なう一因になってしまう。これに対して本発明のアンテナ２では、前記したようにデザイン自由度が高いことから、本体３の上端面の角部に配設するといった必要がなく、したがって組立性が悪くなるような位置を避けて、アンテナ２を自由に配設することが可能になる。
【００４０】
また、このアンテナ２にあっては、ハートカム溝２０とこれに案内されるピン２３とからなるプッシュロックプッシュオフ機構を、アンテナ２とは別に設けることなく、アンテナ２の頭部７内に一体的に設けているので、従来のように筐体となる本体３の小型化を妨げることなく、したがって本体３の小型化を図ることができる。
【００４１】
さらに、カバー部材１９ａに形成したハートカム溝（第１のハートカム溝）２０と、カバー部材１９ｂに形成したハートカム溝（第２のハートカム溝）２０とを、２回対称となる位置関係に形成しているので、前述したようにボタン１７を押圧（操作）してピン２３の両端部をそれぞれハートカム溝２０に案内させた際、ボタン１７の円柱部１７ａを中心軸にしてカバー１６を相対的に回動させることができる。したがって、アンテナ２をボタン１７の操作に伴って横方向に移動させることなく、予め本体３内に設定された収容スペース内に保持することができ、これにより、本体３におけるアンテナ２の収容スペースを最小限に抑えることができる。
また、ピン２３の両端部をそれぞれハートカム溝２０に案内させるようにしているので、ボタン１７の操作時などにボタン１７がカバー１６に対してガタツクことなどが少なく、したがって安定した操作が行えるようになる。
【００４２】
また、このようなアンテナ２を備えてなる携帯電話１にあっては、前記したように非使用時にアンテナ２をぶつけて破損するといったおそれを回避することができ、また、意匠的に大きな制約を受けることがなく、したがってデザイン自由度を大幅に高めることができ、さらに、プッシュロックプッシュオフ機構をアンテナ２の頭部７内に一体的に設けているので、筐体となる本体３の小型化を図ることができる。
【００４３】
なお、本発明は前記実施形態に限定されることなく、本発明の要旨を逸脱しない範囲で種々の変更が可能である。例えば、前記実施形態では、一対のカバー部材１９ａ、１９ｂのそれぞれにハートカム溝２０を形成し、ピン２３の両端部をそれぞれハートカム溝２０に係合させるようにしたが、ハートカム溝２０を一つのみ形成し、ピン２３の一端部をこれに係合させ、案内させるようにしてもよい。
【００４４】
また、前記実施形態では本発明のアンテナを、地上デジタル放送を受信するアンテナに適用したが、例えばこれ以外にも、通話用電波の送受信用アンテナに適用することもできる。
さらに、本発明のアンテナが適用されるモバイル製品としても、前記の携帯電話に限定されることなく、例えばノート型パソコンやポータブルテレビなど、その他の各種モバイル製品にも適用可能である。
【図面の簡単な説明】
【００４５】
【図１】（ａ）（ｂ）は本発明のモバイル製品用アンテナを備えた携帯電話の概略構成を示す図である。
【図２】（ａ）（ｂ）は図１に示したアンテナの要部拡大図である。
【図３】（ａ）（ｂ）は先端側部材の概略構成を説明するための図である。
【図４】頭部の概略構成を示す図であり、（ａ）は斜視図、（ｂ）は側断面図である。
【図５】頭部の分解斜視図である。
【図６】カバー部材の内面側を示す斜視図である。
【図７】ハートカム溝の作用説明図である。
【図８】（ａ）〜（ｄ）は本体に対するアンテナの頭部の状態説明図である。
【図９】（ａ）〜（ｃ）はカバーに対するボタンの状態説明図である。
【符号の説明】
【００４６】
１…携帯電話（モバイル製品）、２…地上デジタル放送受信用アンテナ（モバイル製品用アンテナ）、３…携帯電話本体（製品本体）、６…アンテナ本体、７…頭部、８…基端側部材、９…先端側部材、１０…屈曲部、１２…ロッド部、１５…連結部、１６…カバー、１７…ボタン、１７ｂ…操作部、１８…コイルバネ（付勢部材）、２０…ハートカム溝、２３…ピン
【図１】
0005072577.tif 000002
【図２】
0005072577.tif 000003
【図３】
0005072577.tif 000004
【図４】
0005072577.tif 000005
【図５】
0005072577.tif 000006
【図６】
0005072577.tif 000007
【図７】
0005072577.tif 000008
【図８】
0005072577.tif 000009
【図９】
0005072577.tif 000010